(57)【要約】【課題】バックライトの体積を増やすことなく、加重を受けて外れたり変形したりし、更に光源が加重を受けて損傷することがないバックライト用フレームの固定装置を提供する。【解決手段】上フレームと下フレームとによってなるフレームと、反射板と、ライトガイドと、光学フィルムと、光源とを含んでなるバックライトのフレームを固定する固定装置であって、該下フレームは、外周縁部に複数の凹部を形成し、該凹部内には係合突起を形成するとともに、該上フレームの外周縁部に、該下フレームの係合突起に対応する係合部を形成し、該下フレームの外周縁部には、上方に突出した少なくとも一以上の当止壁を形成し、該上フレームの外周縁部には該下フレームの当止壁に対応する位置に嵌合溝を形成し、該下フレームの当止壁が該上フレームの嵌合溝に嵌合し、該上フレームの外周縁部に該当止壁が当接するように構成する。【選択図】図７
2007157465.tif 000002
【特許請求の範囲】
【請求項１】
上フレームと下フレームとによってなるフレームと、反射板と、ライトガイドと、光学フィルムと、光源とを含んでなるバックライトのフレームを固定する固定装置であって、
該下フレームは、外周縁部に複数の凹部を形成し、該凹部内には係合突起を形成するとともに、該上フレームの外周縁部に、該下フレームの係合突起に対応する係合部を形成し、
該下フレームの外周縁部には、上方に突出した少なくとも一以上の当止壁を形成し、該上フレームの外周縁部には該下フレームの当止壁に対応する位置に嵌合溝を形成し、
該下フレームの当止壁が該上フレームの嵌合溝に嵌合し、該上フレームの外周縁部に該当止壁が当接して、該上フレームが加重を受けて外れたり変形したりし、更に該光源が加重を受けて損傷することがないように構成することを特徴とするバックライト用フレームの固定装置。
【請求項２】
前記下フレームの外周縁部上には、内側寄りの位置に側縁壁を形成することを特徴とする請求項１に記載のバックライト用フレームの固定装置。
【請求項３】
前記側縁壁に、切り欠き部を形成することを特徴とする請求項２に記載のバックライト用フレームの固定装置。
【請求項４】
前記嵌合溝の内方向寄りの位置に凸壁を形成することを特徴とする請求項１に記載のバックライト用フレームの固定装置。
【発明の詳細な説明】
【技術分野】
【０００１】
この発明はバックライトに関し、特にバックライトフレームの固定部材に関する。
【背景技術】
【０００２】
液晶表示器は、光源から照射される光線を均一に分布させて、高い輝度と、広い視野角を有する画像表示効果を達成する。光源にはバックライトとフロントライトとを含む。
【０００３】
図１に開示するように、従来のバックライト１はフレーム１１、反射板１２、ライトガイド１３、光学フィルム１４、光源１５（冷陰極管など）などを組み合わせて構成する。
【０００４】
フレーム１１はプラスチック材によってなり、下フレーム１１１と、上フレーム１１２とを含む。下フレーム１１１の側縁部１１１１に複数の凹部１１１２を形成する。それぞれの凹部１１１２内には係合突起１１１３を形成し、且つ下フレーム１１１の四隅から内方向に収納領域１１１４を形成する。該収納領域１１１４には反射板１２と、ライトガイド１３とを設ける。
【０００５】
上フレーム１１２は下フレーム１１１の凹部１１１２に対応する位置に係合部１１２１を形成する。係合部１１２１は、下フレーム１１１の凹部１１１２に挿入され係合突起１１１３に係合する。
【０００６】
ライトガイド１３は上面に光学フィルム１４を設ける。光学フィルム１４は、散光フィルムと、プリズムフィルムとを含み、該散光フィルムは、光線の方向と拡散する角度を修正する作用を有し、プリズムフィルムは、光線を特定の方向に集中させる作用を有する。また、散光フィルムは全反射を形成する光学的構造を被覆する作用を有する。プリズムフィルムは、直接輝度を高める効果を有する。
【０００７】
光源１５は、両端に弾性を有する材質によってなる固定部材１５１で固定し、且つリフレクタ１６で被覆する。リフレクタは、光線の利用率を高める作用を有する。
【０００８】
上述する部材で従来のバックライト１を組み立てる場合、光源１５を下フレーム１１１の一端縁部に設け、一方の側縁部に設け、更にリフレクタ１６被覆する。リフレクタ１６はフレーム１１の側縁に固定する。当然のことながら予め光源１６をリフレクタ１６内に設け、光源１５を内接したリフレクタ１６をフレーム１１の側縁に固定してもよい。次いでライトガイド１３を下フレーム１１１の収納領域１１１４に設ける。この場合、ライトガイド１３の入射端１３１をリフレクタ１６の開口部に嵌着して位置決めする。最後に光学フィルム１４を構成するプリズムフィルムと散光フィルムをライトガイド１３上に設け、上フレーム１１２の係合部１１２１を、対応する下フレーム１１１の凹部１１１２圧入させ、係合突起１１１３を係合部１１２１内に係合させ、バックライト１の組み立てを完成させる。組み立てたバックライト１は図２に開示する通りである。
【０００９】
従来のバックライト１は、下フレーム１１１に係合突起１１１３を形成し、上フレーム１１２に係合部１１２１を形成して下フレームと上フレーム１１２とを固定する。但し、図３に開示するように、バックライト１のフレーム１１は、プラスチック材によってなり、弾性を有する。フレーム１１が加重を受けると、上フレーム１１２の係合部１１２１が係合突起１１１３の斜面に沿って上方に移動し、容易に係合が外れたり、変形したりする場合がある。また、フレーム１１が加重を受けて変形すると、光源１５が押し圧されて損傷を受ける場合があり、その結果バックライト１の破壊を招くことになる。
【００１０】
上述するように、加重を受けて係合が外れ、変形するという欠点を改善するために、図４に開示するようなバックライトが開発された。図面によれば、バックライト２は、フレーム２１、反射板２２、ライトガイド２３、光学フィルム２４、及び光源２５（冷陰極管など）などによってなる。
【００１１】
フレーム２１は、プラスチック材によってなり、下フレーム２１１と、上フレーム２１２を含む。下フレーム２１１の側縁２１１１には複数の凹部２１１２を形成し、それぞれの凹部２１１２内には係合突起２１１３を形成する。下フレーム２１１の四隅には内方向に向かって収納領域２１１４を形成し、収納領域２１１４には反射板２２と、ライトガイド２３を設ける。下フレーム２１１の側縁２１１１には、複数の突起２１１５を形成する。突起２１１５の上端は下フレーム２１１の側縁２１１１から突出するように形成される。
【００１２】
上フレーム２１２には、下フレーム２１１に形成する凹部２１１２に対応する位置に係合部２１２１を形成する。係合部２１２１は、下フレーム２１１の凹部２１１２に挿入され、係合突起２１１３と係合する。
【００１３】
ライトガイド２３上には光学フィルム２４を設ける。光学フィルム２４は、散光フィルムと、プリズムフィルムとを含み、該散光フィルムは、光線の方向と拡散する角度を修正する作用を有し、プリズムフィルムは、光線を特定の方向に集中させる作用を有する。また、散光フィルムは全反射を形成する光学的構造を被覆する作用を有する。プリズムフィルムは、直接輝度を高める効果を有する。
【００１４】
両端に弾性を有する材質によってなる固定部材２５１で固定し、且つリフレクタ２６で被覆する。リフレクタは、光線の利用率を高める作用を有する。
【００１５】
以上の部材で従来のバックライト２を組み立てる場合、光源２５を下フレーム２１１の一方の側縁に設けてリフレクタ２６で被覆する。リフレクタ２６はフレーム２１の側縁に固定する。当然のことながら光源２５を予めリフレクタ２６に内設し、光源２５を設けたリフレクタ２６をフレーム２１の側縁に固定してもよい。次いで、ライトガイド２３を下フレーム２１１の収納領域２１１４内に設ける。この場合、ライトガイド２３の入射端２３１をリフレクタ２６の開口に嵌着して位置決めする。最後に光学フィルム２４を構成するプリズムフィルムと散光フィルムをライトガイド２３上に設け、上フレーム２１２の係合部２１２１を対応する下フレーム２１１の凹部２１１２に圧入させ、係合突起２１１３を係合部２１２１内に係合させる。この場合、図５に開示するように下フレーム２１１の側縁２１１１に形成した突起２１１５が、上フレーム２１２の側縁に当接する。
【００１６】
図６に開示するように、従来のバックライト２は、下フレーム２１２の側縁２１１１に複数の突起２１１５を形成する。突起２１１５が上フレーム２１１の側縁に当接することによって、上フレーム２１１が加重を受けた場合、上フレーム２１１が突起２１１５の押し圧を受けることによって、係合が外れたり変形したりすることを防ぐ。
【００１７】
しかしながら、バックライト２は、液晶パネル全体においてバックライトが占める空間に限りがあり、且つフレーム２１に突起２１１５が設けられていて、突起２１１５もフレーム２１の面積の一部となり限りある空間を占めるため、バックライト２をパネル式の光源に応用する場合に影響を与える。
【発明の開示】
【発明が解決しようとする課題】
【００１８】
この発明は、バックライトの体積を増やすことなく、バックライトフレームが外部からの力を受けた場合に発生する係合部の係合の離脱、バックライトフレームの変形を防ぐことのできるバックライト用フレームの固定装置を提供することを課題とする。
【課題を解決するための手段】
【００１９】
そこで、本発明者は従来の技術に見られる欠点に鑑みて鋭意研究を重ねた結果、上フレームと下フレームとによってなるフレームと、反射板と、ライトガイドと、光学フィルムと、光源とを含んでなるバックライトのフレームを固定する固定装置であって、該下フレームは、外周縁部に複数の凹部を形成し、該凹部内には係合突起を形成するとともに、該上フレームの外周縁部に、該下フレームの係合突起に対応する係合部を形成し、該下フレームの外周縁部には、上方に突出した少なくとも一以上の当止壁を形成し、該上フレームの外周縁部には該下フレームの当止壁に対応する位置に嵌合溝を形成し、該下フレームの当止壁が該上フレームの嵌合溝に嵌合し、該上フレームの外周縁部に該当止壁が当接して、該上フレームが加重を受けて外れたり変形したりし、更に該光源が加重を受けて損傷することがないように構成するバックライト用フレームの固定装置によって課題を解決できる点に着眼し、かかる知見に基づいて本発明を完成させた。
【００２０】
以下、この発明について具体的に説明する。
請求項１に記載するバックライト用フレームの固定装置は、上フレームと下フレームとによってなるフレームと、反射板と、ライトガイドと、光学フィルムと、光源とを含んでなるバックライトのフレームを固定する固定装置であって、該下フレームが、外周縁部に複数の凹部を形成し、該凹部内には係合突起を形成するとともに、該上フレームの外周縁部に、該下フレームの係合突起に対応する係合部を形成し、該下フレームの外周縁部には、上方に突出した少なくとも一以上の当止壁を形成し、該上フレームの外周縁部には該下フレームの当止壁に対応する位置に嵌合溝を形成し、該下フレームの当止壁が該上フレームの嵌合溝に嵌合し、該上フレームの外周縁部に該当止壁が当接して、該上フレームが加重を受けて外れたり変形したりし、更に該光源が加重を受けて損傷することがないように構成する。
【００２１】
請求項２に記載するバックライト用フレームの固定装置は、請求項１における下フレームの外周縁部上に、内側寄りの位置に側縁壁を形成する。
【００２２】
請求項３に記載するバックライト用フレームの固定装置は、請求項１における側縁壁に、切り欠き部を形成する。
【００２３】
請求項４に記載するバックライト用フレームの固定装置は、請求項１における嵌合溝の内方向寄りの位置に凸壁を形成する。
【発明の効果】
【００２４】
この発明のバックライトは、外部から押し圧されても変形することや、光源が破壊されることがないという効果を有する。
【発明を実施するための最良の形態】
【００２５】
この発明はバックライト用フレームの固定装置であって、上フレームと下フレームとによってなるフレームと、反射板と、ライトガイドと、光学フィルムと、光源とを含んでなるバックライトのフレームを固定する固定装置であって、該下フレームは、外周縁部に複数の凹部を形成し、該凹部内には係合突起を形成するとともに、該上フレームの外周縁部に、該下フレームの係合突起に対応する係合部を形成し、該下フレームの外周縁部には、上方に突出した少なくとも一以上の当止壁を形成し、該上フレームの外周縁部には該下フレームの当止壁に対応する位置に嵌合溝を形成し、該下フレームの当止壁が該上フレームの嵌合溝に嵌合し、該上フレームの外周縁部に該当止壁が当接して、該上フレームが加重を受けて外れたり変形したりし、更に該光源が加重を受けて損傷することがないように構成する目的を達成した。
かかるバックライトの構造と特徴を詳述するために具体的な実施例を挙げ、図示を参照にして以下に説明する。
【実施例】
【００２６】
図７に開示するように、この発明のバックライト３は、フレーム３１と、反射板３２と、ライトガイド３３と、光学フィルム３４と、光源３５とを含んでなる。
【００２７】
該フレーム３１は、プラスチック材によってなり、下フレーム３１１と上フレーム３１２とを含む。該下フレーム３１１は外周縁部３１１１の内側に側縁壁３１１２を形成する。外周縁部３１１１には、側面の外部から側縁壁３１１２に向かって凹んだ複数の凹部３１１３を形成する。それぞれの凹部３１１３内に係合部３１１４を形成する。側縁壁３１１２上には別途切欠き部３１１５を形成する。また、外周縁部３１１１の切欠き部３１１５に対応する位置には、当止壁３１１６を形成する。また、下フレーム３１１には、外周に形成した側縁壁３１１２から内方向に向かって収納領域３１１７を形成する。収納領域３１１７には、反射板３２と、ライトガイド３３とを設ける。
【００２８】
該上フレーム３１２の外周縁部３１２１には、下フレーム３１１の凹部３１１３に対応する位置に、下方に延伸する係合部３１２２を形成する。該係合部３１２２は、下フレーム３１１の凹部３１１３内に挿入され、係合部３１１４に係合する。また、上フレーム３１２の外周縁部３１２１には、下フレーム３１１の当止壁３１１６に対応する位置に、当止壁３１１６が嵌合する凹状の嵌合溝３１２３を形成する。図８に開示するように、外周縁部３１２１の嵌合溝３１２３位置の内側には、下フレーム３１１の切欠き部３１１５に嵌合する凸壁３１２４を形成する。
【００２９】
ライトガイド３３は、上面に光学フィルム３４を設ける。光学フィルム３４は、散光フィルムとプリズムフィルムとを含んでなる。光源３５は両端に弾性材質からなる固定部材３５１を設け、かつ一方の側縁をリフレクタ３６で覆う。
【００３０】
この発明のバックライト３を組み立てる場合は、光源３５を下フレーム３１１の一方の側縁部に設けてリフレクタ３６で被覆するとともに、リフレクタ３６をフレーム３１の側縁部に固定する。次いで、ライトガイド３３を下フレーム３１１の収納領域３１１７内に設けて、ライトガイド３３の入射端３３１をリフレクタ３６の開口部に嵌合して位置決めする。また、光学フィルム３４のプリズムフィルムと散光フィルムをライトガイド３３の上に設けて、上フレーム３１２の係合部３１２２が下フレーム３１１の凹部３１１３に圧入させて、凹部３１１３内に形成した係合部３１１４を係合部３１２２に係合させる。この場合、下フレーム３１１の外周縁部３１１１から上方向に突出して形成される当止壁３１１６が上フレーム３１２の嵌合溝３１２３内に至り、嵌合溝３１２３の位置の内側に形成される凸壁３１２４が下フレーム３１１の側縁壁３１１２に形成された切欠き部３１１５に嵌合する。下フレーム３１１の側縁壁３１１２は、上フレーム３１２の外周縁部３１２１に被覆されるとともに、下フレーム３１１と上フレーム３１２とが連結する位置が、図９に開示するように平坦になる。
【００３１】
この発明のバックライトは、下フレーム３１１の外周縁部３１１１の内側に側縁壁３１１２を形成し、外周縁部３１１１から当止壁３１１６を上方に突出するように形成する。また、上フレーム３１２の外周縁部３１２１に対応する嵌合溝３１２３を形成する。下フレーム３１１と上フレーム３１２とを組み合わせる場合、図１０に開示するように下フレーム３１１の当止壁３１１６が上フレーム３１２の外周縁部３１２１に当止する。このため、上フレーム３１２が押し圧されて加重を受けた場合、上フレーム３１２が外れたり、変形したりするような状況が発生しない。当然のことながら、光源３５が加重を受けて損傷することもない。
【００３２】
また、本発明は、下フレーム３１１の外周縁部３１１１に、上方向に突出する当止壁３１１６を直接形成し、上フレーム３１２の外周縁部３１２１に対応するような嵌合溝３１２３を直接形成してもよい。この場合、下フレーム３１１と、上フレーム３１２とを組み合わせると、側縁壁３１１２が上フレーム３１２の外周縁部３１２１内に収納され、下フレーム３１１の外周縁部３１１１と、上フレーム３１２の外周縁部３１２１との連結する箇所が平坦になり、従来の構造に見られるように構造の空間を占める部分が発生しない。よって、バックライト３に対するパネル状光源に応用する場合の配置に影響を与えることがない。しかも、下フレーム３１１の外周縁部３１１１に形成した当止壁３１１６が、上フレーム３１２の嵌合溝３１２３に嵌合し、嵌合溝３１２３の外周縁部３１２１に形成した凸壁３１２４が、下フレーム３１１の側縁壁３１１２に形成した切欠き部３１１５内に嵌合する。このように、緊密な接合を達成することによって、バックライト３内の光線が側縁壁３１１２の切欠き部３１１５から漏れることを防ぎ、バックライト３の光線の利用率を高めることができる。
【００３３】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの特許請求の範囲に属するものとする。
【図面の簡単な説明】
【００３４】
【図１】従来のバックライトを示した分解図である。
【図２】図１に開示するバックライトを示した斜視図である。
【図３】図２に開示するバックライトをＡ−Ａ線で切断した場合を示した部分断面図である。
【図４】従来の他のバックライトを示した分解図である。
【図５】図４に開示するバックライトを示した斜視図である。
【図６】図５に開示するバックライトをＢ−Ｂ線で切断した場合を示した部分断面図である。
【図７】この発明のバックライトを示した分解図である。
【図８】図７に開示するバックライトの上フレームを示した斜視図である。
【図９】図７に開示するバックライトを示した斜視図である。
【図１０】図９に開示するバックライトをＣ−Ｃ線で切断した場合を示した断面図である。
【符号の説明】
【００３５】
１                     バックライト
１１                  フレーム
１１１                            下フレーム
１１１１              側縁部
１１１２              凹部
１１１３              係合突起
１１１４              収納領域
１１２                            上フレーム
１１２１              係合部
１２                  反射板
１３                  ライトガイド
１３１                            入射端
１４                  光学フィルム
１５                  光源
１５１                            固定部材
１６                  リフレクタ
２                     バックライト
２１                  フレーム
２１１                            下フレーム
２１１１              側縁
２１１２              凹部
２１１３              係合突起
２１１４              収納領域
２１１５              突起
２１２                            上フレーム
２１２１              係合部
２２                  反射板
２３                  ライトガイド
２３１                            入射端
２４                  光学フィルム
２５                  光源
２６                  リフレクタ
３                     バックライト
３１                  フレーム
３１１                            下フレーム
３１１１              外周縁部
３１１２              側縁壁
３１１３              凹部
３１１４              係合部
３１１５              切欠き部
３１１６              当止壁
３１１７              収納領域
３１２                            上フレーム
３１２１              外周縁部
３１２２              係合部
３１２３              嵌合溝
３１２４              凸壁
３２                  反射板
３３                  ライトガイド
３３１                            入射端
３４                  光学フィルム
３５                  光源
３５１                            固定部材
３６                  リフレクタ
【図１】
2007157465.tif 000003
【図２】
2007157465.tif 000004
【図３】
2007157465.tif 000005
【図４】
2007157465.tif 000006
【図５】
2007157465.tif 000007
【図６】
2007157465.tif 000008
【図７】
2007157465.tif 000009
【図８】
2007157465.tif 000010
【図９】
2007157465.tif 000011
【図１０】
2007157465.tif 000012